(57)【要約】【課題】冷蔵庫の省エネ性と防露効果をばらつくことなく安定したものとする。【解決手段】冷蔵庫本体１の前方底部に搬送用の把手部材２２を取り付け、前記把手部材２２にパイプ固定部２７を設けて当該パイプ固定部２７に放熱パイプ２０を固定する。これにより、放熱パイプ２０はその前方端部分を把手部材２２により冷蔵庫本体１の前方底部に固定することができる。したがって、放熱パイプの位置が生産時にずれるようなことがなくなり、省エネ性と防露効果をばらつくことなく安定したものとすることができる。【選択図】図９
2019011934.tif 000002
【特許請求の範囲】
【請求項１】
貯蔵室を有する冷蔵庫本体と、前記冷蔵庫本体の前方底部に取り付けた搬送用の把手部材と、前記冷蔵庫本体の底面部に敷設した放熱パイプとを備え、前記把手部材にパイプ固定部を設けて当該パイプ固定部に前記放熱パイプを固定した冷蔵庫。
【請求項２】
冷蔵庫本体の底面には把手部材のパイプ固定部と対向する部分を一段低くした段差部を設け、この段差部に前記把手部材のパイプ固定部に設けたパイプ固定爪を位置させて放熱パイプを固定した請求項１記載の冷蔵庫。
【請求項３】
把手部材は冷蔵庫本体の底面形状と同様段差を持たせて、貯蔵室の開口部に近い前方側の厚肉部分をビス固定部とするとともに、開口部とは反対の一段低いパイプ固定部にパイプ固定爪を設け、前記厚肉のビス固定部を冷蔵庫本体の底面にビス止めして把手部材を冷蔵庫本体に取り付け固定した請求項２記載の冷蔵庫。
【請求項４】
把手部材は少なくともパイプ固定爪を設けた一段低いパイプ固定部の反対側の面に補強リブを設けた請求項１〜３のいずれか１項記載の冷蔵庫。
【発明の詳細な説明】
【技術分野】
【０００１】
本発明は冷蔵庫の底部に設けた放熱パイプの固定構成に関するものである。
【背景技術】
【０００２】
一般に冷蔵庫は、冷蔵庫本体の底部に防露用の放熱パイプを敷設し、底面部分に結露が生じないようにしてある（例えば、特許文献１参照）。
【０００３】
図１４は特許文献１に記載された冷蔵庫を示し、この冷蔵庫は、冷蔵本体１０１の底部に放熱パイプ１０２を敷設し、その前後方向途中を冷蔵本体１０１底部に埋設した階段搬送専用把手１０３の係合爪１０４に係合させてある。
【０００４】
このように冷蔵庫本体１０１の底部に放熱パイプ１０２を敷設した冷蔵庫は、貯蔵室からの冷輻射により冷蔵庫本体１０１の底面が低温化するのを防止でき、冷蔵庫本体１０１の底面に大気中の水分が結露して床面に滴下し、床面を濡らす等の障害が発生するのを防止できる。
【先行技術文献】
【特許文献】
【０００５】
【特許文献１】特開２０１６−４４９４１号公報
【発明の概要】
【発明が解決しようとする課題】
【０００６】
しかしながら、上記放熱パイプ１０２は、その前方端部分、すなわち、貯蔵室の前方開口付近は固定しておらずフリーな状態となっているため、冷蔵庫本体１０１の内箱と外箱との間に充填する発泡断熱材の発泡圧変動や流動ばらつき、また組み立て輸送時における振動等よって上下あるいは前後方向に位置ずれすることがあった。そして、その位置ずれした状態のまま発泡断熱材によって固定されてしまう。
【０００７】
その結果、上記放熱パイプ１０２の位置が上方向にずれたような場合には、放熱パイプ１０２の前方端部分と貯蔵室の底面との間の距離が短くなって、放熱パイプ１０２の熱が貯蔵室に影響を与えるようになり、省エネ性が低下してしまう。特に上記熱パイプ１０２の前方端が位置する部分は扉により開閉される貯蔵室の開口付近であって外気温の影響を受けて温度が高くなりがちなところであるので、放熱パイプ１０２の位置ずれによる熱影響は大きくなる。
【０００８】
そのうえ、放熱パイプ１０２の前方端部分と冷蔵庫本体１０１の底面との間の距離が大きくなって、放熱パイプ１０２による冷蔵庫本体１０１の底面保温が不十分なものとなり、十分な防露効果が得られなくなったりする。
【０００９】
そのため出願人は、上記課題を解決すべく放熱パイプ１０２の前方部分をテープによって冷蔵庫本体１０１の外箱内面に貼り付け固定することを試みた。
【００１０】
しかしながら、上記構成では、テープ貼りという工程が別途必要になってコストアップを招くうえに、テープ貼り作業のばらつき等によりテープが剥がれて放熱パイプ１０２が上方向に位置ずれしてしまうことがあり、省エネ性と防露効果のばらつきを解消して安定したものとするには改善の余地が残るものであった。
【００１１】
本発明はこのような点に鑑みてなしたもので、放熱パイプ前端部分の固定を確実なものとして冷蔵庫の省エネ性と防露効果を安定したものとすることを目的としたものである。
【課題を解決するための手段】
【００１２】
本発明は、上記目的を達成するため、冷蔵庫本体の前方底部に搬送用の把手部材を取り付け、前記把手部材にパイプ固定部を設けて当該パイプ固定部に放熱パイプを固定する構成としてある。
【００１３】
これにより、放熱パイプは把手部材を利用してその前方端部分を冷蔵庫本体の前方底部に確実に固定することができる。しかも把手部材は冷蔵庫本体に取り付け固定してあるので、発泡断熱材の発泡圧変動や組み立て輸送時の振動等によって動くことがなく、放熱パイプを所定位置に正確に固定することができる。したがって、放熱パイプの位置がずれたまま固定されるようなことがなくなり、省エネ性と防露効果を安定したものとすることができる。
【発明の効果】
【００１４】
本発明は、上記した構成によって、放熱パイプを所定位置に強固かつ正確に固定することができるので、安定した省エネ性と防露効果を持つ冷蔵庫とすることができる。
【図面の簡単な説明】
【００１５】
【図１】本発明の実施の形態１における冷蔵庫の斜視図
【図２】同実施の形態１における冷蔵庫の縦断面図
【図３】同実施の形態１における冷蔵庫の冷蔵庫本体前方底部を示す斜視図
【図４】同実施の形態１における冷蔵庫の冷蔵庫本体前方底部を示す正面図
【図５】同実施の形態１における冷蔵庫の冷蔵庫本体前方底部を示す側面図
【図６】同実施の形態１における冷蔵庫の冷蔵庫本体を底面側から見た斜視図
【図７】同実施の形態１における冷蔵庫の冷蔵庫本体の底面を示す下面図
【図８】図７の要部拡大下面図
【図９】図８のＡ−Ａ断面図
【図１０】同実施の形態１における冷蔵庫の脚部高さ調節用工具を取り外した時の冷蔵庫本体を底面側から見た斜視図
【図１１】図１０の要部拡大斜視図
【図１２】図８のＢ−Ｂ断面図
【図１３】図８のＣ−Ｃ断面図
【図１４】従来の冷蔵庫の断面図
【発明を実施するための形態】
【００１６】
第１の発明は、貯蔵室を有する冷蔵庫本体と、前記冷蔵庫本体の前方底部に取り付けた搬送用の把手部材と、前記冷蔵庫本体の底面部に敷設した放熱パイプとを備え、前記把手部材にパイプ固定部を設けて当該パイプ固定部に前記放熱パイプを固定した構成としてある。
【００１７】
これにより、放熱パイプは把手部材を利用してその前方端部分を冷蔵庫本体の前方底部に確実に固定することができる。しかも把手部材は冷蔵庫本体に取り付け固定してあるので、発泡断熱材の発泡圧変動や組み立て輸送時の振動等によって動くことがなく、放熱パイプを所定位置に正確に固定することができる。したがって、放熱パイプの位置がずれたまま固定されるようなことがなくなり、省エネ性と防露効果を安定したものとすることができる。
【００１８】
第２の発明は、第１の発明において、前記冷蔵庫本体の底面には把手部材のパイプ固定
部と対向する部分を一段低くした段差部を設け、この段差部に前記把手部材のパイプ固定部に設けたパイプ固定爪を位置させて放熱パイプを固定した構成としてある。
【００１９】
これにより、把手部材を利用して放熱パイプを固定する場合に生じがちな弊害を解消して省エネ性と防露効果を安定したものとすることができる。すなわち、把手部材を利用して放熱パイプを固定する構成とすると、放熱パイプは把手部材のパイプ固定部に設けたパイプ固定爪等の高さ寸法分だけ貯蔵室に近くなり、放熱パイプからの熱による影響が大きくなって省エネ性が低下してしまう。
【００２０】
また冷蔵庫底面にパイプ固定爪でパイプを固定した場合、パイプ固定爪が底面から床面に向かって飛び出し運搬時に床を傷付けるおそれがある。
【００２１】
しかしながら、冷蔵庫本体の底面のパイプ固定部と対向する部分を一段低くして段差部を設ければ、この段差部によってパイプ固定爪に固定した放熱パイプの前方端部分を貯蔵室から離して当該放熱パイプと貯蔵室との間の断熱距離を大きなものとすることができ、放熱パイプからの熱による貯蔵室への影響を低減して省エネ性を高めることができる。つまり、省エネ性を高めつつ当該省エネ性と防露効果を安定したものとすることができる。
【００２２】
第３の発明は、第２の発明において、前記把手部材は冷蔵庫本体の底面形状と同様段差を持たせて、貯蔵室の開口部に近い前方側の厚肉部分をビス固定部とするとともに、開口部とは反対の一段低いパイプ固定部にパイプ固定爪を設け、前記厚肉のビス固定部を冷蔵庫本体の底面にビス止めして把手部材を冷蔵庫本体に取り付け固定した構成としてある。
【００２３】
これにより、把手部材の冷蔵庫本体に対する取り付けが強固なものとなり、放熱パイプの前方端位置を発泡断熱材の発泡圧変動や組み立て輸送時における振動等があっても所定位置に正確かつ強固に固定することができる。よって、省エネ性および防露効果をより安定したものとすることができ、高品質な冷蔵庫とすることができる。
【００２４】
第４の発明は、第１〜第３の発明において、前記把手部材は少なくともパイプ固定爪を設けた一段低いパイプ固定部の反対側の面に補強リブを設けた構成としてある。
【００２５】
これにより、一段低くして強度が弱くなりがちなパイプ固定部の強度を高めてパイプ固定部による放熱パイプの固定を堅牢なものとすることができ、放熱パイプの固定を更に確実かつ強固なものとして省エネ性および防露効果を安定させ、一段と高品質な冷蔵庫とすることができる。
【００２６】
以下、本発明の実施の形態について、図面を参照しながら説明する。なお、この実施の形態によって本発明が限定されるものではない。
【００２７】
（実施の形態１）
図１は本発明の実施の形態１における冷蔵庫の斜視図、図２は同冷蔵庫の縦断面図、図３は同冷蔵庫の冷蔵庫本体前方底部を示す斜視図、図４は同冷蔵庫の冷蔵庫本体前方底部を示す正面図、図５は同冷蔵庫の冷蔵庫本体前方底部を示す側面図、図６は同冷蔵庫の冷蔵庫本体を底面側から見た斜視図、図７は同冷蔵庫の冷蔵庫本体の底面を示す下面図、図８は図７の要部拡大下面図、図９は図８のＡ−Ａ断面図、図１０は実施の形態１における冷蔵庫の脚部高さ調節用工具を取り外した時の冷蔵庫本体を底面側から見た斜視図、図１１は図１０の要部拡大斜視図、図１２は図８のＢ−Ｂ断面図、図１３は図８のＣ−Ｃ断面図である。
【００２８】
図１〜図５において、本実施の形態に係る冷蔵庫は、前方を開口した冷蔵庫本体１を備
え、この冷蔵庫本体１は、主に鋼板を用いた外箱２と、ＡＢＳなどの硬質樹脂で成型された内箱３と、前記外箱２と内箱３との間に発泡充填された硬質発泡ウレタンなどの発泡断熱材４とから構成されている。
【００２９】
冷蔵庫本体１は、断熱性の仕切板５．６によって複数の貯蔵室に区分されており、冷蔵庫本体１の最上部には冷蔵室７、その冷蔵室７の下部には上下二段の冷凍室８、９、更にその下部に野菜室１０が配置されている。
【００３０】
そして、前記各貯蔵室の前面開口部は、観音開き式の冷蔵室扉１１、引出式の冷凍室扉１２ａ、１２ｂ、同引出式の野菜室扉１３によって開閉可能に閉塞されている。なお、上記各扉１１、１２ａ、１２ｂ、１３の前面はガラス板で構成し、外観の意匠性を高めている。
【００３１】
また、冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３２】
また、前記冷蔵庫本体１の冷凍室背面には冷気を生成する冷却室１６が設けられており、冷却室１６からは各室に冷気を供給する冷気通路１７が形成されている。
【００３３】
冷却室１６内には冷却器１８が配設されており、冷却器１８の上部には冷却ファン１９が配置されている。前記冷却ファン１９は、冷却器１８により生成された冷気を、冷気通路１７を介して、冷蔵室７、上段冷凍室８，下段冷凍室９、野菜室１０に強制循環させ各室を冷却する。
【００３４】
一方、図６〜図８に示すように冷蔵庫本体１の底部の外箱２と内箱３との間には冷凍サイクルを構成する放熱パイプ２０の一部が敷設してあり、野菜室１０からの冷輻射によって冷蔵庫本体１の底面に結露が生じないようにしてある。
【００３５】
また、前記冷蔵庫本体１はその底部の四隅に高さ調節用の脚部２１が設けてある。この脚部２１は冷蔵庫本体１の左右の高さを調節して水平に設置可能とするもので、後述するレンチ等の工具を用いて高さ調節可能な構成としてある。
【００３６】
例えばこの例では脚部２１は脚金具２１ａにボルト付きの六角部を備えた脚２１ｂをねじ込んで構成してあるが、その構成は工具を用いて高さ調節可能な構造となっていれば特に限定されるものではない。
【００３７】
更に、上記冷蔵庫本体１の前方底部には脚部２１とは別に把手部材２２が設けてある。この把手部材２２は冷蔵庫本体１を上下方向に立てた状態で搬送するときに使用するもので、左右の間隔が人の肩幅と略等しくなるような位置に配置して、冷蔵庫本体１の前方底面に取り付け固定してある。
【００３８】
そして、上記冷蔵庫本体１の前方底部には化粧カバー２３が着脱自在に装着してある。この化粧カバー２３は、前記冷蔵庫本体１の前方側の脚部２１と把手部材２２を覆って安全性と意匠性を確保している。
【００３９】
ここで、上記冷蔵庫本体１の底部に敷設してある放熱パイプ２０は、その前後方向途中部分を先行文献と同様冷蔵庫本体１の底部に埋設した階段搬送専用把手１ａに係合させて左右方向に位置ずれしないよう係止してあるが、更に前方端部分は冷蔵庫本体１の底部に固定してある。
【００４０】
その構成を、図９を用いて説明する。図９において、冷蔵庫本体１はその前方底面の前記放熱パイプ２０の前方端部と対向する部分を一段低くして本体段差部２４を設け、階段形状としてある。
【００４１】
一方、把手部材２２は把手部２５とその後方に位置する本体固定部２６とからなり、前記把手部２５の後方の本体固定部２６はその上面を冷蔵庫本体１の底面と同様に階段状にして段差を持たせてある。
【００４２】
そして、上記一段低くした段差部をパイプ固定部２７として当該部分に一対の鍵状突起部を備えたパイプ固定爪２８を立設し、このパイプ固定爪２８を内箱３の底面より内箱３と外箱２の間に突入させてその鍵状部分に前記放熱パイプ２０の前方端部を圧入し固定してある。この状態で内箱３と外箱２との間に発泡断熱材４を充填してある。
【００４３】
なお、上記パイプ固定爪２８を設けたパイプ固定部２７の下側の面には補強リブ２７ａを一体形成して強度を高めてある。
【００４４】
上記のようにして放熱パイプ２０の前方端部分を冷蔵庫本体１の底部に固定してあるが、この放熱パイプ２０を固定保持している把手部材２２は、その本体固定部２６の野菜室１０の開口に近い前方側の一段高くて厚肉となっている部分をビス固定部３０とし、当該ビス固定部３０の下側から冷蔵庫本体１の内箱３にビス３１をねじ込んで冷蔵庫本体１の底部に取り付け固定してある。
【００４５】
また、上記把手部材２２はその把手部２５と本体固定部２６との間に手挿入用開口３２を有しており、把手部２５と化粧カバー２３の裏面との間には前記手挿入用開口３２から前方側に向かって略Ｌ字状に屈曲する手挿入部３３を形成している。
【００４６】
そして、上記把手部２５の手挿入用開口３２の前側の端部に上向きに突出する円弧状の膨出部３４を設けてある。さらに、前記手挿入用開口３２の後側の壁面に後方向に窪む凹所３５が形成してある。
【００４７】
なお、本実施の形態の冷蔵庫では、前記脚部２１及び把手部材２２を覆う化粧カバー２３の裏面には、図６〜図８に示すように脚高さ調節用の工具３６が装着してある。
【００４８】
以下、上記工具３６の取り付け構成を説明すると、前記脚部２１及び把手部材２２を覆う化粧カバー２３の裏面には図１０に示すように工具取り付け部３７が設けてある。
【００４９】
上記工具取り付け部３７は、図１１に示すように工具３６の一端側を嵌め込み固定する第一リブ３７ａ、他端側を嵌め込み固定する第二リブ３７ｂとからなり、化粧カバー２３の把手部材２２同士間の左右方向スペースに工具３６を装着可能としている。
【００５０】
そして、上記工具取り付け部３７は、工具３６の一部、この例では工具３６の前後方向幅が大きくなるレンチ部３６ａの後側が図１２に示すように冷蔵庫本体１側に突出して冷蔵庫本体１の底面とオーバーラップするような形で装着される構成としてある。
【００５１】
また、上記化粧カバー２３には工具３６を装着する部分の後側端縁にカバー部３８が一体形成してあり、化粧カバー２３の後端より本体側に突出するレンチ部３６ａ、すなわち工具３６の冷蔵庫本体１とオーバラップする部分を覆う構成としてある。
【００５２】
なお、この例では図１０、図１１に示すようにカバー部３８はオーバラップする部分だ
けではなく工具３６のほぼ全長にわたって設けているが、これは少なくとも工具３６の冷蔵庫本体１とオーバラップする部分だけ覆うように設ければよいものである。
【００５３】
また、上記工具３６はレンチ部３６ａと柄部３６ｂとの間を略く字状に屈曲した構成とするとともに、化粧カバー２３には前記工具３６を正規の状態と逆向きに装着（上下の面を逆向きにして装着）されるのを防止する逆付け防止部３９が設けてある。
【００５４】
この逆付け防止部３９は、図１２、図１３に示すように正規の状態に工具３６をセットした場合は工具３６の上面に当接し、上下の面を逆向きにセットすると逆付け防止部３９の先端が工具３６の上面より下方に位置する形となって第一リブ３７ａと第二リブ３７ｂによる工具３６の係止ができなくなる構成としてあるが、これは逆向き装着を防止できればどのような構成であってもよいものである。
【００５５】
以上のように構成された冷蔵庫について、次にその作用、効果を説明する。
【００５６】
本実施の形態の冷蔵庫は、冷蔵庫本体１の前方底部に搬送用の把手部材２２を取り付け、この把手部材２２のパイプ固定部２７にパイプ固定爪２８を設けて、当該パイプ固定爪２８によって冷蔵庫本体１の底部に敷設した放熱パイプ２０の前方端部分を固定している。そして、上記放熱パイプ２０の前方端部分を固定する把手部材２２は冷蔵庫本体１にビス３１によって機械的に取り付けてある。
【００５７】
したがって、放熱パイプ２０の前方端部分はテープ貼りの時のように発泡断熱材の発泡圧変動や組み立て輸送時の振動等によって位置ずれするようなことがなく、所定位置に正確に固定されることになる。よって、安定した省エネ性と防露効果を持つ冷蔵庫とすることができる。しかも、テープ貼り等のような作業が不要であるから、部品点数増や工数増によるコストアップを招くことがなく、安価にパイプ固定することができる。
【００５８】
ここで、上記省エネ性と防露効果をばらつくことなく安定させるために、把手部材２２のパイプ固定部２７にパイプ固定爪２８を設けて放熱パイプ２０の前方端部分を固定する構成とすると、内箱３の内部に突入するパイプ固定爪２８の高さ寸法ｈ分だけ放熱パイプ２０の前方端部分が野菜室１０の底面近くに位置する形となる。そのため、放熱パイプ２０による野菜室１０への熱影響が増大し、冷却運転の頻度が上がって省エネ性が低下するという弊害が生じる。
【００５９】
しかしながら、本実施の形態では、上記放熱パイプ２０の前方端部分を固定する部分の冷蔵庫本体底面は一段低くして本体段差部２４を設けているので、この段差によって放熱パイプ２０の前方端部分と野菜室１０の底面との間の寸法、すなわち断熱距離は大きなものとなる。したがって、放熱パイプ２０による野菜室１０への熱影響を低減することができ、省エネ性を高めることができる。
【００６０】
つまり本実施の形態の構成とすることにより、省エネ性と防露効果を安定させるだけでなく省エネ性そのものを高めることもできる。
【００６１】
また、本実施の形態の把手部材２２は本体固定部２６を冷蔵庫本体の底面形状と同様段差を持たせて、野菜室１０の開口に近い前方側のビス固定部３０をビス３１によって固定しているので、冷蔵庫本体１の底部に強固に取り付け固定することができる。
【００６２】
すなわち、把手部材２２は階段状として段差を持たせたことにより野菜室１０の開口に近い前方側のビス固定部３０は一段高くなって厚肉となっており、その分堅牢なものとなり、冷蔵庫本体１の底部に強固に取り付け固定することができるのである。
【００６３】
その結果として、大重量化した冷蔵庫本体１の重量に耐えうる把手とすることができるのはもちろん、放熱パイプ２０の前方端位置を所定位置に強固かつ正確に固定することができる。これにより、省エネ性および防露効果を更に安定したものとすることができる。
【００６４】
加えて上記把手部材２２のパイプ固定爪２８を設けたパイプ固定部２７の下側の面には補強リブ２７ａを一体形成してあるので、一段低くして強度が弱くなりがちなパイプ固定部２７自体の強度も高まり、パイプ固定爪２８による放熱パイプ２０の固定をより堅牢なものとして、省エネ性および防露効果の安定化を更に高めることができる。
【００６５】
更に、本実施の形態の冷蔵庫は、次のような効果も有する。
【００６６】
すなわち、冷蔵庫本体１の前方底部には化粧カバー２３を設けて前記把手部２５とともに脚部２１も覆っているが、この化粧カバー２３はその裏面に工具取り付け部３７を設け、この工具取り付け部３７に脚部２１の高さ調節をするための工具３６を装着してある。
【００６７】
したがって、冷蔵庫本体１が大型で大重量化しているものであっても、工具３６を用いて脚部２１の高さ調節を容易に行うことができる。
【００６８】
また、脚部２１の高さ調節を行った後の工具３６は化粧カバー２３の裏面に装着して保管することができ、紛失を防止することができる。
【００６９】
更に、冷蔵庫本体１を別の場所に移動させて再設置するような時にも、化粧カバー２３を取り外して工具３６を取り出し、脚部２１の高さ調節を容易に行うことができる。
【００７０】
そして、上記化粧カバー２３の取り外しは脚部２１の高さ調節を行う際に必ず行う作業であるので、この化粧カバー２３の取り外しによって工具３６の存在に気づき、わざわざ工具３６を探すことなく使用できる。
【００７１】
しかも上記工具３６を取り出すための作業は高さ調節を行う際に必ず行う必須の作業であるので、工具取り出しのための動作を別途行うというわずらわしさもない。
【００７２】
よって、再設置の際の作業性は著しく向上する。
【００７３】
ここで、上記脚部２１の高さ調節の作業性を向上させるために、工具３６を化粧カバー２３に装着しておく構成とすると、化粧カバー２３の前後方向幅が長大化し、化粧カバー２３の前端が冷蔵庫本体１の野菜室扉１３前面より前方に突出しやすくなる弊害が生じる。
【００７４】
すなわち、化粧カバー２３に工具３６を装着する構成とすると、化粧カバー２３に装着した工具３６の前後方向幅が大きなものである場合、この例ではレンチ部３６ａの前後方向幅が大きいので、このレンチ部３６ａの前後方向幅分だけ化粧カバー２３の前後方向寸法が長大化する。その結果、化粧カバー２３の前端が冷蔵庫本体１の野菜室扉１３前面より突出しがちになる。
【００７５】
しかしながら、本実施の形態では、上記化粧カバー２３に設けた工具取り付け部３７は、工具３６のレンチ部３６ａの後方部が冷蔵庫本体１側に突出して冷蔵庫本体１の底面とオーバーラップする状態で装着可能な構成としてあるから、このオーバラップする分だけ化粧カバー２３の前後方向幅を短縮することができる。
【００７６】
したがって、その分化粧カバー２３の前端を後方に位置させて化粧カバー２３の前端が冷蔵庫本体１の野菜室扉１３前面より突出することがないように設置することができ、美観及び安全性の高い冷蔵庫とすることができる。
【００７７】
また、上記化粧カバー２３は工具３６の冷蔵庫本体１とオーバラップするレンチ部３６ａを覆うカバー部３８が設けてあるので、冷蔵庫本体１の底部に結露が生じてこれが落下するようなことがあっても工具３６に結露水が付着するのを防止できる。
【００７８】
よって、金属で形成することが多い工具３６の腐食を防止して長期間良好な状態で保管しておくことができる。
【００７９】
また、前記工具３６は略く字状に屈曲した構成としてあるので、脚部２１の高さが低くても柄部３６ｂが床面に接して調節作業の邪魔になるようなことがなく、脚部２１の高さ調節を容易に行うことができる。
【００８０】
この場合、工具３６は略く字状に屈曲しているので正規の状態とは逆向きの状態で装着すると、工具３６の一部、例えばこの場合はレンチ部３６ａの一部が床面側に大きく飛び出し、床面に接して床面を傷つける等の恐れがある。
【００８１】
しかしながら、本実施の形態では上記化粧カバー２３には工具取り付け部３７とともに工具３６の逆向き装着を防止する逆付け防止部３９が設けてあるので、工具３６の逆向き装着を防止することができる。
【００８２】
したがって、工具３６のレンチ部３６ａの一部が下方に飛び出し床面に接して床面を傷つける等の弊害を防止することができる。
【００８３】
また、上記化粧カバー２３に設けた工具取り付け部３７は冷蔵庫本体１に設けた前記左右の把手部材２２の間に位置する形としてあるので、化粧カバー２３の把手部材２２間に生じる左右方向のスペースを利用して比較的長い寸法の工具であっても無理なく装着保管することができる。これと同時に化粧カバー２３の前後方向の幅寸法を短いものとすることもできる。これにより、化粧カバーの大型化を防止して、より確実に化粧カバー２３の前端が野菜室扉１３前面より飛び出さないようにすることができる。
【００８４】
また、上記把手部材２２は把手部２５の手挿入用開口側の端部に膨出部３４を設けた構成としてあるので、把手部２５が膨出部３４により厚肉化して強度が向上し、大重量化した冷蔵庫本体であってもその荷重に耐えうるものとすることができる。そして、把手部２５の前後方向の長さ寸法を従来のものより短いものとして化粧カバー２３の前後方向の幅寸法を短くすることができる。
【００８５】
よって、把手部２５の前後方向の長さ寸法を短くした分化粧カバー２３の前後方向寸法を小型化して化粧カバー２３の前端が後方に位置するようにし、冷蔵庫本体１の野菜室扉１３前面より突出することがないようにすることができる。
【００８６】
また、上記膨出部３４は手の引っ掛かり部ともなるので、手の指が滑って把手部２５から不用意に外れてしまうのを防止することもでき、搬送時の安全性をも向上させることができる。
【００８７】
更に、上記把手部材２２は手挿入用開口３２の後側の壁面に後方向に窪む凹所３５を設けているので、この凹所３５を設けた分だけ手挿入用開口３２の後側壁面と前記把手部２５の膨出部３４との間に形成される手挿入用開口３２の位置を後側にずらせることができ
る。
【００８８】
したがって、当該手挿入用開口３２の位置を後側にずらせた分だけ把手部材２２の前後方向寸法を短くすることができる。これによって、化粧カバー２３の前後方向寸法も小型化して化粧カバー２３の前端が後方に位置するようにし、冷蔵庫本体１の野菜室扉１３前面より突出することがないようにすることができる。
【００８９】
そして、上記のように化粧カバー２３の前端が野菜室扉１３の前面から突出しないようにすることによって、冷蔵庫本体１の前方底部の美観と安全性を良好なものとすることができる。
【００９０】
以上、本発明に係る冷蔵庫について、上記実施の形態を用いて説明したが、本発明は、これに限定されるものではない。例えば本実施の形態において把手部材２２は脚部２１と別体物で説明したが、これは脚部２１と一体物であってもよいものであり、このようにしても同様の効果が得られる。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００９１】
以上のように、本発明の冷蔵庫は、放熱パイプの前方端部分を所定位置に強固に固定することができ、省エネ性と防露効果をばらつくことなく安定したものとすることができる。よって、家庭用冷蔵庫をはじめとして業務用冷蔵庫、自動販売機など他の冷凍冷蔵応用商品に広く適用できる。
【符号の説明】
【００９２】
１  冷蔵庫本体
２  外箱
３  内箱
４  発泡断熱材
５、６  仕切板
７  冷蔵室
８  上段冷凍室
９  下段冷凍室
１０  野菜室
１１  冷蔵室扉
１２ａ、１２ｂ  冷凍室扉
１３  野菜室扉
１４  機械室
１５  圧縮機
１６  冷却室
１７  冷気通路
１８  冷却器
１９  冷却ファン
２０  放熱パイプ
２１  脚部
２１ａ  脚金具
２１ｂ  脚
２２  把手部材
２３  化粧カバー
２４  本体段差部
２５  把手部
２６  本体固定部
２７  パイプ固定部
２７ａ  補強リブ
２８  パイプ固定爪
３０  ビス固定部
３１  ビス
３２  手挿入用開口
３３  手挿入部
３４  膨出部
３５  凹所
３６  工具
３６ａ  レンチ部
３６ｂ  柄部
３７  工具取り付け部
３７ａ  第一リブ
３７ｂ  第二リブ
３８  カバー部
３９  逆付け防止部
【図１】
2019011934.tif 000003
【図２】
2019011934.tif 000004
【図３】
2019011934.tif 000005
【図４】
2019011934.tif 000006
【図５】
2019011934.tif 000007
【図６】
2019011934.tif 000008
【図７】
2019011934.tif 000009
【図８】
2019011934.tif 000010
【図９】
2019011934.tif 000011
【図１０】
2019011934.tif 000012
【図１１】
2019011934.tif 000013
【図１２】
2019011934.tif 000014
【図１３】
2019011934.tif 000015
【図１４】
2019011934.tif 000016